(57)【要約】  駆動装置は、第１の正電源配線の第１の正電源電圧と第１の負電源配線の第１の負電源電圧とから生成した第１の制御信号を、第１のトランジスタの制御端子に出力して、第１のトランジスタの動作を制御する第１のゲートドライバ回路と、第２の正電源配線の第２の正電源電圧と第２の負電源配線の第２の負電源電圧とから生成した第２の制御信号を、第２のトランジスタの制御端子に出力して、第１のトランジスタと第２のトランジスタとが相補的にオン／オフするように、第２のトランジスタの動作を制御する第２のゲートドライバ回路と、第１の制御信号に基づいて、出力端子の電位を基準として第１の正電源電圧とは反対の極性の第１の負電源電圧を生成して第１の負電源配線に印加する第１のチャージポンプ回路と、を備える。
2019146149.tif 000002
【特許請求の範囲】
【請求項１】
直流電圧が印加される電源端子と、
接地された接地端子と、
一端が前記電源端子に接続され、他端が出力端子に接続された第１のトランジスタと、
一端が前記出力端子に接続され、他端が前記接地端子に接続された第２のトランジスタと、
第１の電圧を出力する第１の直流電源と、
アノードに前記第１の電圧が印加され且つカソードが第１の正電源配線に接続された第１のブートストラップ用ダイオード、及び、一端が前記第１のブートストラップ用ダイオードのカソードに接続され且つ他端が前記出力端子に接続された第１のブートストラップ用コンデンサを有する第１のブートストラップ回路と、
一端が前記出力端子に接続され、他端が第１の負電源配線に接続された第１の安定化用コンデンサと、
前記第１の正電源配線の第１の正電源電圧と前記第１の負電源配線の第１の負電源電圧とから生成した第１の制御信号を、前記第１のトランジスタの制御端子に出力して、前記第１のトランジスタの動作を制御する第１のゲートドライバ回路と、
第２の正電源配線の第２の正電源電圧と第２の負電源配線の第２の負電源電圧とから生成した第２の制御信号を、前記第２のトランジスタの制御端子に出力して、前記第１のトランジスタと前記第２のトランジスタとが相補的にオン／オフするように、前記第２のトランジスタの動作を制御する第２のゲートドライバ回路と、
前記第１の制御信号に基づいて、前記出力端子の電位を基準として前記第１の正電源電圧とは反対の極性の前記第１の負電源電圧を生成して前記第１の負電源配線に印加する第１のチャージポンプ回路と、を備える
ことを特徴とする駆動装置。
【請求項２】
前記第１のトランジスタは、一端が前記電源端子に接続され、他端が前記出力端子に接続された第１のｎチャネルＭＯＳトランジスタであり、
前記第２のトランジスタは、一端が前記出力端子に接続され、他端が前記接地端子に接続された第２のｎチャネルＭＯＳトランジスタである
ことを特徴とする請求項１に記載の駆動装置。
【請求項３】
一端が前記第１のブートストラップ用ダイオードのカソードに接続され、他端が前記第１の負電源配線に接続された第２の安定化用コンデンサをさらに備える
ことを特徴とする請求項１に記載の駆動装置。
【請求項４】
第２の電圧を出力する第２の直流電源と、
アノードに前記第２の電圧が印加され且つカソードが前記第２の正電源配線に接続された第２のブートストラップ用ダイオード、及び、一端が前記第２のブートストラップ用ダイオードのカソードに接続され且つ他端が前記接地端子に接続された第２のブートストラップ用コンデンサを有する第２のブートストラップ回路と、
一端が前記接地端子に接続され、他端が第２の負電源配線に接続された第３の安定化用コンデンサと、
一端が前記第２のブートストラップ用ダイオードのカソードに接続され、他端が前記第２の負電源配線に接続された第４の安定化用コンデンサと、
前記第２の制御信号に基づいて、前記接地端子の電位を基準として前記第２の正電源電圧とは反対の極性の前記第２の負電源電圧を生成して前記第２の負電源配線に印加する第２のチャージポンプ回路と、をさらに備える
ことを特徴とする請求項３に記載の駆動装置。
【請求項５】
前記第１のチャージポンプ回路は、
前記第１の正電源配線、前記第１の負電源配線、前記第１のトランジスタの前記制御端子、及び、前記出力端子に、接続されている
ことを特徴とする請求項３に記載の駆動装置。
【請求項６】
前記第２のチャージポンプ回路は、
前記第２の正電源配線、前記第２の負電源配線、前記第２のトランジスタの前記制御端子、及び、前記接地端子に、接続されている
ことを特徴とする請求項４に記載の駆動装置。
【請求項７】
前記第１のブートストラップ用コンデンサの容量値は、前記第１の安定化用コンデンサの容量値と等しくなるように設定されている
ことを特徴とする請求項３に記載の駆動装置。
【請求項８】
前記第２のブートストラップ用コンデンサの容量値は、前記第３の安定化用コンデンサの容量値と等しくなるように設定されている
ことを特徴とする請求項４に記載の駆動装置。
【請求項９】
前記第１の安定化用コンデンサの容量値は、第２の安定化用コンデンサの容量値よりも、大きくなるように設定されている
ことを特徴とする請求項７に記載の駆動装置。
【請求項１０】
前記第３の安定化用コンデンサの容量値は、第４の安定化用コンデンサの容量値よりも、大きくなるように設定されている
ことを特徴とする請求項８に記載の駆動装置。
【請求項１１】
前記第１のゲートドライバ回路は、
前記第１の制御信号により、前記第１のトランジスタの動作をＰＷＭ制御し、
前記第２のゲートドライバ回路は、
前記第２の制御信号により、前記第１のトランジスタと前記第２のトランジスタとが相補的にオン／オフするように、前記第２のトランジスタの動作をＰＷＭ制御する
ことを特徴とする請求項２に記載の駆動装置。
【請求項１２】
前記第１の制御信号による前記第１のトランジスタのＰＷＭ制御と、前記第２の制御信号による前記第２のトランジスタのＰＷＭ制御との関係においては、両方のトランジスタがオフするデットタイムが設定されている
ことを特徴とする請求項１１に記載の駆動装置。
【請求項１３】
前記第１のチャージポンプ回路は、
一端が前記第１のトランジスタの前記制御端子に接続された第１のポンプ用抵抗と、
コレクタが前記第１の正電源配線に接続され、ベースが前記第１のポンプ用抵抗の他端に接続された第１のポンプ用バイポーラトランジスタと、
コレクタが前記第１のポンプ用バイポーラトランジスタのエミッタに接続され、ベースが前記第１のポンプ用抵抗の他端に接続され、エミッタが前記出力端子に接続された第２のポンプ用バイポーラトランジスタと、
一端が前記第１のポンプ用バイポーラトランジスタのエミッタに接続された第２のポンプ用抵抗と、
一端が前記第２のポンプ用抵抗の他端に接続された第１のポンプ用コンデンサと、
アノードが前記第１のポンプ用コンデンサの他端に接続され、カソードが前記出力端子に接続された第１のポンプ用ダイオードと、
カソードが前記第１のポンプ用コンデンサの他端に接続された第２のポンプ用ダイオードと、
一端が第２のポンプ用ダイオードのアノードに接続され、他端が前記出力端子に接続されたに接続された第２のポンプ用コンデンサと、
一端が前記第２のポンプ用ダイオードのアノードに接続され、他端が前記第１の負電源配線に接続された第３のポンプ用抵抗と、
アノードが前記第１の負電源配線に接続され、カソードが前記出力端子に接続された第１のポンプ用ツェナーダイオードと、
一端が前記第１の負電源配線に接続され、他端が前記出力端子に接続された第３のポンプ用コンデンサと、を備える
ことを特徴とする請求項５に記載の駆動装置。
【請求項１４】
前記第２のチャージポンプ回路は、
一端が前記第２のトランジスタの前記制御端子に接続された第４のポンプ用抵抗と、
コレクタが前記第２の正電源配線に接続され、ベースが前記第４のポンプ用抵抗の他端に接続された第３のポンプ用バイポーラトランジスタと、
コレクタが前記第３のポンプ用バイポーラトランジスタのエミッタに接続され、ベースが前記第４のポンプ用抵抗の他端に接続され、エミッタが前記接地端子に接続された第４のポンプ用バイポーラトランジスタと、
一端が前記第３のポンプ用バイポーラトランジスタのエミッタに接続された第５のポンプ用抵抗と、
一端が前記第５のポンプ用抵抗の他端に接続された第４のポンプ用コンデンサと、
アノードが前記第４のポンプ用コンデンサの他端に接続され、カソードが前記接地端子に接続された第３のポンプ用ダイオードと、
カソードが前記第４のポンプ用コンデンサの他端に接続された第４のポンプ用ダイオードと、
一端が第４のポンプ用ダイオードのアノードに接続され、他端が前記接地端子に接続された第５のポンプ用コンデンサと、
一端が前記第４のポンプ用ダイオードのアノードに接続され、他端が前記第２の負電源配線に接続された第６のポンプ用抵抗と、
アノードが前記第６のポンプ用抵抗の他端に接続され、カソードが前記接地端子に接続された第２のポンプ用ツェナーダイオードと、
一端が前記第２の負電源配線に接続され、他端が前記接地端子に接続された第６のポンプ用コンデンサと、を備える
ことを特徴とする請求項６に記載の駆動装置。
【請求項１５】
直流電圧が印加される電源端子と、接地された接地端子と、一端が前記電源端子に接続され、他端が出力端子に接続された第１のトランジスタと、一端が前記出力端子に接続され、他端が前記接地端子に接続された第２のトランジスタと、第１の電圧を出力する第１の直流電源と、アノードに前記第１の電圧が印加され且つカソードが第１の正電源配線に接続された第１のブートストラップ用ダイオード、及び、一端が前記第１のブートストラップ用ダイオードのカソードに接続され且つ他端が前記出力端子に接続された第１のブートストラップ用コンデンサを有する第１のブートストラップ回路と、一端が前記出力端子に接続され、他端が第１の負電源配線に接続された第１の安定化用コンデンサと、前記第１の正電源配線の第１の正電源電圧と前記第１の負電源配線の第１の負電源電圧とから生成した第１の制御信号を、前記第１のトランジスタの制御端子に出力して、前記第１のトランジスタの動作を制御する第１のゲートドライバ回路と、第２の正電源配線の第２の正電源電圧と第２の負電源配線の第２の負電源電圧とから生成した第２の制御信号を、前記第２のトランジスタの制御端子に出力して、前記第１のトランジスタと前記第２のトランジスタとが相補的にオン／オフするように、前記第２のトランジスタの動作を制御する第２のゲートドライバ回路と、前記第１の制御信号に基づいて、前記出力端子の電位を基準として前記第１の正電源電圧とは反対の極性の前記第１の負電源電圧を生成して前記第１の負電源配線に印加する第１のチャージポンプ回路と、を備える駆動装置の制御方法であって、
前記第１のゲートドライバ回路により、前記第１の正電源配線の第１の正電源電圧と前記第１の負電源配線の第１の負電源電圧とから生成した前記第１の制御信号を、前記第１のトランジスタの制御端子に出力して、前記第１のトランジスタの動作を制御し、
前記第２のゲートドライバ回路により、前記第２の正電源配線の第２の正電源電圧と第２の負電源配線の第２の負電源電圧とから生成した前記第２の制御信号を、前記第２のトランジスタの制御端子に出力して、前記第１のトランジスタと前記第２のトランジスタとが相補的にオン／オフするように、前記第２のトランジスタの動作を制御し、
前記第１のチャージポンプ回路により、前記第１の制御信号に基づいて、前記出力端子の電位を基準として前記第１の正電源電圧とは反対の極性の前記第１の負電源電圧を生成して前記第１の負電源配線に印加する
ことを特徴とする駆動装置の制御方法。
【発明の詳細な説明】
【技術分野】
【０００１】
本発明は、駆動装置、及び、駆動装置の制御方法に関する発明である。
【背景技術】
【０００２】
従来、ハイサイドトランジスタとローサイドトランジスタとが相補的にオン／オフするように制御する駆動装置がある（例えば、特開２０１６−６７１９４参照）。【０００３】
この従来の駆動装置において、既述の２つのトランジスタ（ｎチャネルＦＥＴ）をオン／オフ動作させる時、ハイサイドトランジスタがオンすると、ハイサイドトランジスタのソースの電位及び、ローサイドトランジスタのドレイン電位が上昇して、dv/dtが上昇する。【０００４】
この時、ローサイドトランジスタのドレイン - ゲート間の寄生容量及びゲート抵抗を介して電流が流れ込むことにより、ローサイドトランジスタのゲート電位が上昇する。【０００５】
そして、当該ゲート電位がローサイドトランジスタの閾値電圧Ｖｔｈを超えると、ローサイドトランジスタがオンして、ハイサイドトランジスタとローサイドトランジスタとがアーム短絡となる。【０００６】
ここで、例えば、従来の駆動装置（図４）では、ブートストラップ方式の電源を適用することにより、単一の電源で構成して、トランジスタをオン／オフ動作させるための補助電源の回路規模を小さくするものがある。【０００７】
しかし、この従来の駆動装置では、負電源を生成することができないため、デッドタイムを大きくする必要がある（図５）。【０００８】
このように、従来の駆動装置では、回路規模を縮小しつつ、短いデットタイムでトランジスタの誤動作を抑制することができない問題がある。
【発明の開示】
【発明が解決しようとする課題】
【０００９】
そこで、本発明は、回路規模を縮小しつつ、短いデットタイムでトランジスタの誤動作を抑制することが可能な駆動装置を提供することを目的とする。  
【課題を解決するための手段】
【００１０】
本発明の一態様に係る実施形態に従った駆動装置は、
直流電圧が印加される電源端子と、
接地された接地端子と、
一端が前記電源端子に接続され、他端が出力端子に接続された第１のトランジスタと、
一端が前記出力端子に接続され、他端が前記接地端子に接続された第２のトランジスタと、
第１の電圧を出力する第１の直流電源と、
アノードに前記第１の電圧が印加され且つカソードが第１の正電源配線に接続された第１のブートストラップ用ダイオード、及び、一端が前記第１のブートストラップ用ダイオードのカソードに接続され且つ他端が前記出力端子に接続された第１のブートストラップ用コンデンサを有する第１のブートストラップ回路と、
一端が前記出力端子に接続され、他端が第１の負電源配線に接続された第１の安定化用コンデンサと、
前記第１の正電源配線の第１の正電源電圧と前記第１の負電源配線の第１の負電源電圧とから生成した第１の制御信号を、前記第１のトランジスタの制御端子に出力して、前記第１のトランジスタの動作を制御する第１のゲートドライバ回路と、
第２の正電源配線の第２の正電源電圧と第２の負電源配線の第２の負電源電圧とから生成した第２の制御信号を、前記第２のトランジスタの制御端子に出力して、前記第１のトランジスタと前記第２のトランジスタとが相補的にオン／オフするように、前記第２のトランジスタの動作を制御する第２のゲートドライバ回路と、
前記第１の制御信号に基づいて、前記出力端子の電位を基準として前記第１の正電源電圧とは反対の極性の前記第１の負電源電圧を生成して前記第１の負電源配線に印加する第１のチャージポンプ回路と、を備える
ことを特徴とする。【００１１】
前記駆動装置において、
前記第１のトランジスタは、一端が前記電源端子に接続され、他端が前記出力端子に接続された第１のｎチャネルＭＯＳトランジスタであり、
前記第２のトランジスタは、一端が前記出力端子に接続され、他端が前記接地端子に接続された第２のｎチャネルＭＯＳトランジスタである
ことを特徴とする。【００１２】
前記駆動装置において、
一端が前記第１のブートストラップ用ダイオードのカソードに接続され、他端が前記第１の負電源配線に接続された第２の安定化用コンデンサをさらに備える
ことを特徴とする。【００１３】
前記駆動装置において、
第２の電圧を出力する第２の直流電源と、
アノードに前記第２の電圧が印加され且つカソードが前記第２の正電源配線に接続された第２のブートストラップ用ダイオード、及び、一端が前記第２のブートストラップ用ダイオードのカソードに接続され且つ他端が前記接地端子に接続された第２のブートストラップ用コンデンサを有する第２のブートストラップ回路と、
一端が前記接地端子に接続され、他端が第２の負電源配線に接続された第３の安定化用コンデンサと、
一端が前記第２のブートストラップ用ダイオードのカソードに接続され、他端が前記第２の負電源配線に接続された第４の安定化用コンデンサと、
前記第２の制御信号に基づいて、前記接地端子の電位を基準として前記第２の正電源電圧とは反対の極性の前記第２の負電源電圧を生成して前記第２の負電源配線に印加する第２のチャージポンプ回路と、をさらに備える
ことを特徴とする。【００１４】
前記駆動装置において、
前記第１のチャージポンプ回路は、
前記第１の正電源配線、前記第１の負電源配線、前記第１のトランジスタの前記制御端子、及び、前記出力端子に、接続されている
ことを特徴とする。【００１５】
前記駆動装置において、
前記第２のチャージポンプ回路は、
前記第２の正電源配線、前記第２の負電源配線、前記第２のトランジスタの前記制御端子、及び、前記接地端子に、接続されている
ことを特徴とする。【００１６】
前記駆動装置において、
前記第１のブートストラップ用コンデンサの容量値は、前記第１の安定化用コンデンサの容量値と等しくなるように設定されている
ことを特徴とする。【００１７】
前記駆動装置において、
前記第２のブートストラップ用コンデンサの容量値は、前記第３の安定化用コンデンサの容量値と等しくなるように設定されている
ことを特徴とする。【００１８】
前記駆動装置において、
前記第１の安定化用コンデンサの容量値は、第２の安定化用コンデンサの容量値よりも、大きくなるように設定されている
ことを特徴とする。【００１９】
前記駆動装置において、
前記第３の安定化用コンデンサの容量値は、第４の安定化用コンデンサの容量値よりも、大きくなるように設定されている
ことを特徴とする。【００２０】
前記駆動装置において、
前記第１のゲートドライバ回路は、
前記第１の制御信号により、前記第１のトランジスタの動作をＰＷＭ制御し、
前記第２のゲートドライバ回路は、
前記第２の制御信号により、前記第１のトランジスタと前記第２のトランジスタとが相補的にオン／オフするように、前記第２のトランジスタの動作をＰＷＭ制御する
ことを特徴とする。【００２１】
前記駆動装置において、
前記第１の制御信号による前記第１のトランジスタのＰＷＭ制御と、前記第２の制御信号による前記第２のトランジスタのＰＷＭ制御との関係においては、両方のトランジスタがオフするデットタイムが設定されている
ことを特徴とする。【００２２】
前記駆動装置において、
前記第１のチャージポンプ回路は、
一端が前記第１のトランジスタの前記制御端子に接続された第１のポンプ用抵抗と、
コレクタが前記第１の正電源配線に接続され、ベースが前記第１のポンプ用抵抗の他端に接続された第１のポンプ用バイポーラトランジスタと、
コレクタが前記第１のポンプ用バイポーラトランジスタのエミッタに接続され、ベースが前記第１のポンプ用抵抗の他端に接続され、エミッタが前記出力端子に接続された第２のポンプ用バイポーラトランジスタと、
一端が前記第１のポンプ用バイポーラトランジスタのエミッタに接続された第２のポンプ用抵抗と、
一端が前記第２のポンプ用抵抗の他端に接続された第１のポンプ用コンデンサと、
アノードが前記第１のポンプ用コンデンサの他端に接続され、カソードが前記出力端子に接続された第１のポンプ用ダイオードと、
カソードが前記第１のポンプ用コンデンサの他端に接続された第２のポンプ用ダイオードと、
一端が第２のポンプ用ダイオードのアノードに接続され、他端が前記出力端子に接続されたに接続された第２のポンプ用コンデンサと、
一端が前記第２のポンプ用ダイオードのアノードに接続され、他端が前記第１の負電源配線に接続された第３のポンプ用抵抗と、
アノードが前記第１の負電源配線に接続され、カソードが前記出力端子に接続された第１のポンプ用ツェナーダイオードと、
一端が前記第１の負電源配線に接続され、他端が前記出力端子に接続された第３のポンプ用コンデンサと、を備える
ことを特徴とする。【００２３】
前記駆動装置において、
前記第２のチャージポンプ回路は、
一端が前記第２のトランジスタの前記制御端子に接続された第４のポンプ用抵抗と、
コレクタが前記第２の正電源配線に接続され、ベースが前記第４のポンプ用抵抗の他端に接続された第３のポンプ用バイポーラトランジスタと、
コレクタが前記第３のポンプ用バイポーラトランジスタのエミッタに接続され、ベースが前記第４のポンプ用抵抗の他端に接続され、エミッタが前記接地端子に接続された第４のポンプ用バイポーラトランジスタと、
一端が前記第３のポンプ用バイポーラトランジスタのエミッタに接続された第５のポンプ用抵抗と、
一端が前記第５のポンプ用抵抗の他端に接続された第４のポンプ用コンデンサと、
アノードが前記第４のポンプ用コンデンサの他端に接続され、カソードが前記接地端子に接続された第３のポンプ用ダイオードと、
カソードが前記第４のポンプ用コンデンサの他端に接続された第４のポンプ用ダイオードと、
一端が第４のポンプ用ダイオードのアノードに接続され、他端が前記接地端子に接続された第５のポンプ用コンデンサと、
一端が前記第４のポンプ用ダイオードのアノードに接続され、他端が前記第２の負電源配線に接続された第６のポンプ用抵抗と、
アノードが前記第６のポンプ用抵抗の他端に接続され、カソードが前記接地端子に接続された第２のポンプ用ツェナーダイオードと、
一端が前記第２の負電源配線に接続され、他端が前記接地端子に接続された第６のポンプ用コンデンサと、を備える
ことを特徴とする。【００２４】
本発明の一態様に係る実施形態に従った駆動装置の制御方法は、
直流電圧が印加される電源端子と、接地された接地端子と、一端が前記電源端子に接続され、他端が出力端子に接続された第１のトランジスタと、一端が前記出力端子に接続され、他端が前記接地端子に接続された第２のトランジスタと、第１の電圧を出力する第１の直流電源と、アノードに前記第１の電圧が印加され且つカソードが第１の正電源配線に接続された第１のブートストラップ用ダイオード、及び、一端が前記第１のブートストラップ用ダイオードのカソードに接続され且つ他端が前記出力端子に接続された第１のブートストラップ用コンデンサを有する第１のブートストラップ回路と、一端が前記出力端子に接続され、他端が第１の負電源配線に接続された第１の安定化用コンデンサと、前記第１の正電源配線の第１の正電源電圧と前記第１の負電源配線の第１の負電源電圧とから生成した第１の制御信号を、前記第１のトランジスタの制御端子に出力して、前記第１のトランジスタの動作を制御する第１のゲートドライバ回路と、第２の正電源配線の第２の正電源電圧と第２の負電源配線の第２の負電源電圧とから生成した第２の制御信号を、前記第２のトランジスタの制御端子に出力して、前記第１のトランジスタと前記第２のトランジスタとが相補的にオン／オフするように、前記第２のトランジスタの動作を制御する第２のゲートドライバ回路と、前記第１の制御信号に基づいて、前記出力端子の電位を基準として前記第１の正電源電圧とは反対の極性の前記第１の負電源電圧を生成して前記第１の負電源配線に印加する第１のチャージポンプ回路と、を備える駆動装置の制御方法であって、
前記第１のゲートドライバ回路により、前記第１の正電源配線の第１の正電源電圧と前記第１の負電源配線の第１の負電源電圧とから生成した前記第１の制御信号を、前記第１のトランジスタの制御端子に出力して、前記第１のトランジスタの動作を制御し、
前記第２のゲートドライバ回路により、前記第２の正電源配線の第２の正電源電圧と第２の負電源配線の第２の負電源電圧とから生成した前記第２の制御信号を、前記第２のトランジスタの制御端子に出力して、前記第１のトランジスタと前記第２のトランジスタとが相補的にオン／オフするように、前記第２のトランジスタの動作を制御し、
前記第１のチャージポンプ回路により、前記第１の制御信号に基づいて、前記出力端子の電位を基準として前記第１の正電源電圧とは反対の極性の前記第１の負電源電圧を生成して前記第１の負電源配線に印加する
ことを特徴とする。
【発明の効果】
【００２５】
本発明の一態様に係る駆動装置は、直流電圧が印加される電源端子と、接地された接地端子と、一端が電源端子に接続され、他端が出力端子に接続された第１のトランジスタと、一端が出力端子に接続され、他端が接地端子に接続された第２のトランジスタと、第１の電圧を出力する第１の直流電源と、アノードに第１の電圧が印加され且つカソードが第１の正電源配線に接続された第１のブートストラップ用ダイオード、及び、一端が第１のブートストラップ用ダイオードのカソードに接続され且つ他端が出力端子に接続された第１のブートストラップ用コンデンサを有する第１のブートストラップ回路と、一端が出力端子に接続され、他端が第１の負電源配線に接続された第１の安定化用コンデンサと、第１の正電源配線の第１の正電源電圧と第１の負電源配線の第１の負電源電圧とから生成した第１の制御信号を、第１のトランジスタの制御端子に出力して、第１のトランジスタの動作を制御する第１のゲートドライバ回路と、第２の正電源配線の第２の正電源電圧と第２の負電源配線の第２の負電源電圧とから生成した第２の制御信号を、第２のトランジスタＳＷ２の制御端子に出力して、第１のトランジスタと第２のトランジスタとが相補的にオン／オフするように、第２のトランジスタの動作を制御する第２のゲートドライバ回路と、第１の制御信号に基づいて、出力端子の電位を基準として第１の正電源電圧とは反対の極性の第１の負電源電圧を生成して第１の負電源配線に印加する第１のチャージポンプ回路と、を備える。【００２６】
このように、本発明の駆動装置では、負電圧を生成するための電源回路を省略して回路規模を縮小しつつ、第１のドライバ回路が出力する第１のトランジスタの制御信号により第１のチャージポンプ回路を動作させて、正電源電圧から負電源電圧を生成するようにして、当該負電源電圧を用いて第１のトランジスタの閾値電圧とオフ時の制御信号との間のマージンを確保して、デットタイムを短くする。【００２７】
すなわち、本発明の駆動装置によれば、回路規模を縮小しつつ、短いデットタイムでトランジスタの誤動作を抑制することができる。
【図面の簡単な説明】
【００２８】
【図１】図１は、実施例１に係る駆動装置１００の構成の一例を示す図である。
【図２】図２は、図１に示す駆動装置１００の動作波形の一例を示す図である。
【図３】図３は、実施例２に係る駆動装置２００の構成の一例を示す図である。
【図４】図４は、従来の駆動装置の構成の一例を示す図である。
【図５】図５は、図４に示す従来の駆動装置の動作波形の一例を示す図である。
【発明を実施するための最良の形態】
【００２９】
以下、本発明に係る実施形態について図面に基づいて説明する。
【実施例１】
【００３０】
図１は、実施例１に係る駆動装置１００の構成の一例を示す図である。また、図２は、図１に示す駆動装置１００の動作波形の一例を示す図である。【００３１】
図１に示すように、駆動装置１００は、第１のトランジスタＳＷ１と第２のトランジスタＳＷ２とを相補的にオン／オフするように制御して、出力端子ＴＯＵＴから所定の電圧を出力するようになっている。【００３２】
ここで、この駆動装置１００は、例えば、図１に示すように、電源端子ＴＳと、接地端子ＴＧＮＤと、第１のトランジスタＳＷ１と、第２のトランジスタＳＷ２と、第１のボディダイオードＤ１と、第２のボディダイオードＤ２と、第１の直流電源Ｘ１と、第２の直流電源Ｘ２と、第１のブートストラップ回路ＢＳ１と、第１の安定化用コンデンサＡＣ１と、第２の安定化用コンデンサＡＣ２と、第２のブートストラップ回路ＢＳ２と、第３の安定化用コンデンサＡＣ３と、第４の安定化用コンデンサＡＣ４と、第１のゲートドライバ回路Ｇ１と、第２のゲートドライバ回路Ｇ２と、第１のチャージポンプ回路Ｐ１と、第２のチャージポンプ回路Ｐ２と、を備える。【００３３】
そして、電源端子ＴＳは、直流電源ＢＡＴの正極が接続され、直流電圧が印加されるようになっている。【００３４】
また、接地端子ＴＧＮＤは、直流電源ＢＡＴの負極が接続され、接地されている。【００３５】
また、第１のトランジスタ（ハイサイドトランジスタ）ＳＷ１は、一端（ドレイン）が電源端子ＴＳに接続され、他端（ソース）が出力端子ＴＯＵＴに接続されている。【００３６】
また、第１のボディダイオードＤ１は、カソードが第１のトランジスタＳＷ１の一端（ドレイン）に接続され、アノードが第１のトランジスタＳＷ１の他端（ソース）に接続されている。【００３７】
ここで、第１のトランジスタＳＷ１は、例えば、図１に示すように、一端（ドレイン）が電源端子ＴＳに接続され、他端（ソース）が出力端子ＴＯＵＴに接続された第１のｎチャネルＭＯＳトランジスタである。【００３８】
なお、この第１のトランジスタＳＷ１は、ＮＰＮ型バイポーラトランジスタであってもよい。【００３９】
また、第２のトランジスタ（ローサイドトランジスタ）ＳＷ２は、一端（ドレイン）が出力端子ＴＯＵＴに接続され、他端（ソース）が接地端子ＴＧＮＤに接続されている。【００４０】
また、第２のボディダイオードＤ２は、カソードが第２のトランジスタＳＷ２の一端（ドレイン）に接続され、アノードが第２のトランジスタＳＷ２の他端（ソース）に接続されている。【００４１】
ここで、第２のトランジスタＳＷ２は、例えば、図１に示すように、一端（ドレイン）が出力端子ＴＯＵＴに接続され、他端（ソース）が接地端子ＴＧＮＤに接続された第２のｎチャネルＭＯＳトランジスタである。【００４２】
なお、この第２のトランジスタＳＷ２は、ＮＰＮ型バイポーラトランジスタであってもよい。【００４３】
また、第１の直流電源Ｘ１は、第１の電圧Ｖ１を出力するようになっている。【００４４】
この第１の直流電源Ｘ１は、例えば、図１に示すように、負極が接地され、正極が第１のブートストラップ用ダイオードＢＤ１のアノードに接続された第１のバッテリである。【００４５】
また、第１のブートストラップ回路ＢＳ１は、例えば、図１に示すように、第１のブートストラップ用ダイオードＢＤ１と、第１のブートストラップ用コンデンサＢＣ１と、を有する。【００４６】
そして、第１のブートストラップ用ダイオードＢＤ１は、例えば、図１に示すように、アノードが第１の直流電源Ｘ１の正極に接続され、アノードに第１の電圧Ｖ１が印加され、カソードが第１の正電源配線ＨＣ１に接続されている。【００４７】
また、第１のブートストラップ用コンデンサＢＣ１は、例えば、図１に示すように、一端が第１のブートストラップ用ダイオードＢＤ１のカソードに接続され、他端が出力端子ＴＯＵＴ（第１のソース端子ＳＯＵＲＳＥ１）に接続されている。【００４８】
なお、この第１のブートストラップ用コンデンサＢＣ１の容量値は、例えば、第１の安定化用コンデンサＡＣ１の容量値と等しくなるように設定されている。【００４９】
また、第１の安定化用コンデンサＡＣ１は、一端が出力端子ＴＯＵＴ（第１のソース端子ＳＯＵＲＳＥ１）に接続され、他端が第１の負電源配線ＨＥ１に接続されている。【００５０】
また、第２の安定化用コンデンサＡＣ２は、一端が第１のブートストラップ用ダイオードＢＤ１のカソードに接続され、他端が第１の負電源配線ＨＥ１に接続されている。【００５１】
なお、第１の安定化用コンデンサＡＣ１の容量値は、この第２の安定化用コンデンサＡＣ２の容量値よりも、大きくなるように設定されている。【００５２】
また、第１のゲートドライバ回路（ハイサイドゲートドライバ回路）Ｇ１は、第１の正電源配線ＨＣ１の第１の正電源電圧ＶＣＣ１と第１の負電源配線ＨＥ１の第１の負電源電圧ＶＥＥ１とから生成した第１の制御信号ＳＧ１を、第１のトランジスタＳＷ１の制御端子（第１のゲート端子ＧＡＴＥ１）に出力して、第１のトランジスタＳＷ１の動作を制御するようになっている。【００５３】
特に、この第１のゲートドライバ回路Ｇ１は、第１の制御信号ＳＧ１により、第１のトランジスタＳＷ１の動作をＰＷＭ制御するようになっている。【００５４】
また、第２のゲートドライバ回路（ローサイドゲートドライバ回路）Ｇ２は、第２の正電源配線ＨＣ２の第２の正電源電圧ＶＣＣ２と第２の負電源配線ＨＥ２の第２の負電源電圧ＶＥＥ２とから生成した第２の制御信号ＳＧ２を、第２のトランジスタＳＷ２の制御端子（第２のゲート端子ＧＡＴＥ２）に出力して、第１のトランジスタＳＷ１と第２のトランジスタＳＷ２とが相補的にオン／オフするように、第２のトランジスタＳＷ２の動作を制御するようになっている。【００５５】
特に、この第２のゲートドライバ回路Ｇ２は、第２の制御信号ＳＧ２により、第１のトランジスタＳＷ１と第２のトランジスタＳＷ２とが相補的にオン／オフするように、第２のトランジスタＳＷ２の動作をＰＷＭ制御するようになっている。【００５６】
なお、上記第１の制御信号ＳＧ１による第１のトランジスタＳＷ１のＰＷＭ制御と、第２の制御信号ＳＧ２による第２のトランジスタＳＷ１のＰＷＭ制御との関係においては、両方のトランジスタＳＷ１、ＳＷ２がオフする（貫通電流が流れないようにする）デットタイムが設定されている（図２）。【００５７】
また、第１のチャージポンプ回路Ｐ１は、第１のトランジスタＳＷ１を制御する第１の制御信号ＳＧ１に基づいて、出力端子ＴＯＵＴの電位（第１のソース端子ＳＯＵＲＳＥ１の電位）を基準として第１の正電源電圧ＶＣＣ１とは反対の極性の第１の負電源電圧ＶＥＥ１を生成して、第１の負電源配線ＨＥ１に印加するようになっている。【００５８】
このように、第１のチャージポンプ回路Ｐ１は、負電源生成回路として動作するようになっている。【００５９】
この第１のチャージポンプ回路Ｐ１は、例えば、図１に示すように、第１の正電源配線ＨＣ１、第１の負電源配線ＨＥ１、第１のトランジスタＳＷの制御端子（第１のゲート端子ＧＡＴＥ１）、及び、出力端子ＴＯＵＴ（第１のソース端子ＳＯＵＲＳＥ１）に、接続されている。【００６０】
より詳しくは、この第１のチャージポンプ回路Ｐ１は、例えば、図１に示すように、第１のポンプ用抵抗ＲＰ１と、第１のポンプ用バイポーラトランジスタＭＰ１と、第２のポンプ用バイポーラトランジスタＭＰ２と、第２のポンプ用抵抗ＲＰ２と、第１のポンプ用コンデンサＣＰ１と、第１のポンプ用ダイオードＤＰ１と、第２のポンプ用ダイオードＤＰ２と、第２のポンプ用コンデンサＣＰ２と、第３のポンプ用抵抗ＲＰ３と、第１のポンプ用ツェナーダイオードＶＰ１と、第３のポンプ用コンデンサＣＰ３と、を備える。【００６１】
そして、第１のポンプ用抵抗ＲＰ１は、一端が第１のトランジスタＳＷ１の制御端子（第１のゲート端子ＧＡＴＥ１）に電気的に接続されている。【００６２】
また、第１のポンプ用バイポーラトランジスタＭＰ１は、コレクタが第１の正電源配線ＨＣ１に接続され、ベースが第１のポンプ用抵抗ＲＰ１の他端に接続されている。【００６３】
また、第２のポンプ用バイポーラトランジスタＭＰ２は、コレクタが第１のポンプ用バイポーラトランジスタＭＰ１のエミッタに接続され、ベースが第１のポンプ用抵抗ＲＰ１の他端に接続され、エミッタが出力端子ＴＯＵＴ（第１のソース端子ＳＯＵＲＳＥ１）に接続されている。【００６４】
また、第２のポンプ用抵抗ＲＰ２は、一端が第１のポンプ用バイポーラトランジスタＭＰ１のエミッタに接続されている。【００６５】
また、第１のポンプ用コンデンサＣＰ１は、一端が第２のポンプ用抵抗ＲＰ２の他端に接続されている。【００６６】
また、第１のポンプ用ダイオードＤＰ１は、アノードが第１のポンプ用コンデンサＣＰ１の他端に接続され、カソードが出力端子ＴＯＵＴ（第１のソース端子ＳＯＵＲＳＥ１）に接続されている。【００６７】
また、第２のポンプ用ダイオードＤＰ２は、カソードが第１のポンプ用コンデンサＣＰ１の他端に接続されている。【００６８】
また、第２のポンプ用コンデンサＣＰ２は、一端が第２のポンプ用ダイオードＤＰ２のアノードに接続され、他端が出力端子ＴＯＵＴ（第１のソース端子ＳＯＵＲＳＥ１）に接続されている。【００６９】
また、第３のポンプ用抵抗ＲＰ３は、一端が第２のポンプ用ダイオードＤＰ２のアノード（第２のポンプ用コンデンサＣＰ２の一端）に接続され、他端が第１の負電源配線ＨＥ１に接続されている。【００７０】
また、第１のポンプ用ツェナーダイオードＶＰ１は、アノードが第３のポンプ用抵抗ＲＰ３の他端（第１の負電源配線ＨＥ１）に接続され、カソードが出力端子ＴＯＵＴ（第１のソース端子ＳＯＵＲＳＥ１）に接続されている。【００７１】
また、第３のポンプ用コンデンサＣＰ３は、一端が第１の負電源配線ＨＥ１に接続され、他端が出力端子ＴＯＵＴ（第１のソース端子ＳＯＵＲＳＥ１）に接続されている。【００７２】
このような構成を有する第１のチャージポンプ回路Ｐ１は、第１のトランジスタＳＷ１を制御する第１の制御信号ＳＧ１に基づいて、出力端子ＴＯＵＴの電位（第１のソース端子ＳＯＵＲＳＥ１の電位）を基準として第１の正電源電圧ＶＣＣ１とは反対の極性の第１の負電源電圧ＶＥＥ１を生成して、第１の負電源配線ＨＥ１に印加するようになっている。【００７３】
また、第２の直流電源Ｘ２は、第２の電圧Ｖ２を出力するようになっている。【００７４】
この第２の直流電源Ｘ２は、例えば、図１に示すように、負極が接地され、正極が第２のブートストラップ用ダイオードＢＤ２のアノードに接続された第２のバッテリである。【００７５】
なお、上述の第１の直流電源Ｘ１と第２の直流電源Ｘ２とは、図１の例では、別々の構成として記載されているが、共通の電源であってもよい。【００７６】
また、第２のブートストラップ回路ＢＳ２は、例えば、図１に示すように、第２のブートストラップ用ダイオードＢＤ２と、第２のブートストラップ用コンデンサＢＣ２と、を有する。【００７７】
そして、第２のブートストラップ用ダイオードＢＤ２は、アノードが第１の直流電源Ｘ１の正極に接続され、アノードに第２の電圧Ｖ２が印加され、カソードが第２の正電源配線ＨＣ２に接続されている。【００７８】
また、第２のブートストラップ用コンデンサＢＣ２は、一端が第２のブートストラップ用ダイオードＢＤ２のカソードに接続され、他端が接地端子ＴＧＮＤ（第２のソース端子ＳＯＵＲＳＥ２）に接続されている。【００７９】
また、第３の安定化用コンデンサＡＣ３は、一端が接地端子ＴＧＮＤ（第２のソース端子ＳＯＵＲＳＥ２）に接続され、他端が第２の負電源配線ＨＥ２に接続されている。【００８０】
なお、第２のブートストラップ用コンデンサＢＣ２の容量値は、例えば、この第３の安定化用コンデンサＡＣ３の容量値と等しくなるように設定されている。【００８１】
また、第４の安定化用コンデンサＡＣ４は、一端が第２のブートストラップ用ダイオードＢＤ２のカソードに接続され、他端が第２の負電源配線ＨＥ２に接続されている。【００８２】
なお、第３の安定化用コンデンサＡＣ４の容量値は、この第４の安定化用コンデンサＡＣ４の容量値よりも、大きくなるように設定されている。【００８３】
また、第２のチャージポンプ回路Ｐ２は、第２のトランジスタＳＷ２を制御する第２の制御信号ＳＧ２に基づいて、接地端子ＴＧＮＤの電位（第２のソース端子ＳＯＵＲＳＥ２の電位）を基準として第２の正電源電圧ＶＣＣ２とは反対の極性の第２の負電源電圧ＶＥＥ２を生成して第２の負電源配線ＨＥ２に印加するようになっている。【００８４】
このように、この第２のチャージポンプ回路Ｐ２は、負電源生成回路として動作するようになっている。【００８５】
なお、負電圧生成回路として、図１に示す第２のチャージポンプ回路Ｐ２に代えて、第２の正電源電圧ＶＣＣ２とは反対の極性の第２の負電源電圧ＶＥＥ２を生成して第２の負電源配線ＨＣ２に印加する３端子のレギュレータを用いるようにしてもよい。【００８６】
この第２のチャージポンプ回路Ｐ２は、例えば、図１に示すように、第２の正電源配線ＨＣ２、第２の負電源配線ＨＥ２、第２のトランジスタＳＷ２の制御端子（第２のゲート端子ＧＡＴＥ２）、及び、接地端子ＴＧＮＤ（第２のソース端子ＳＯＵＲＳＥ２）に、接続されている。【００８７】
より詳しくは、この第２のチャージポンプ回路Ｐ２は、例えば、図１に示すように、第４のポンプ用抵抗ＲＰ４と、第３のポンプ用バイポーラトランジスタＭＰ３と、第４のポンプ用バイポーラトランジスタＭＰ４と、第５のポンプ用抵抗ＲＰ５と、第４のポンプ用コンデンサＣＰ４と、第３のポンプ用ダイオードＤＰ３と、第４のポンプ用ダイオードＤＰ４と、第５のポンプ用コンデンサＣＰ５と、第６のポンプ用抵抗ＲＰ６と、第２のポンプ用ツェナーダイオードＶＰ２と、第６のポンプ用コンデンサＣＰ６と、を備える。【００８８】
そして、第４のポンプ用抵抗ＲＰ４は、一端が第２のトランジスタＳＷ２の制御端子（第２のゲート端子ＧＡＴＥ２）に電気的に接続されている。【００８９】
また、第３のポンプ用バイポーラトランジスタＭＰ３は、コレクタが第２の正電源配線ＨＣ２に接続され、ベースが第４のポンプ用抵抗ＲＰ４の他端に接続されている。【００９０】
また、第４のポンプ用バイポーラトランジスタＭＰ４は、コレクタが第３のポンプ用バイポーラトランジスタＭＰ３のエミッタに接続され、ベースが第４のポンプ用抵抗ＲＰ４の他端に接続され、エミッタが接地端子ＴＧＮＤ（第２のソース端子ＳＯＵＲＳＥ２）に接続されている。【００９１】
また、第５のポンプ用抵抗ＲＰ５は、一端が第３のポンプ用バイポーラトランジスタＭＰ３のエミッタに接続されている。【００９２】
また、第４のポンプ用コンデンサＣＰ４は、一端が第５のポンプ用抵抗ＲＰ５の他端に接続されている。【００９３】
また、第３のポンプ用ダイオードＤＰ３は、アノードが第４のポンプ用コンデンサＣＰ４の他端に接続され、カソードが接地端子ＴＧＮＤ（第２のソース端子ＳＯＵＲＳＥ２）に接続されている。【００９４】
また、第４のポンプ用ダイオードＤＰ４は、カソードが第４のポンプ用コンデンサＣＰ４の他端に接続されている。【００９５】
また、第５のポンプ用コンデンサＣＰ５は、一端が第４のポンプ用ダイオードＣＰ４のアノードに接続され、他端が接地端子ＴＧＮＤ（第２のソース端子ＳＯＵＲＳＥ２）に接続されている。【００９６】
また、第６のポンプ用抵抗ＲＰ６は、一端が第４のポンプ用ダイオードＤＰ４のアノード（第５のポンプ用コンデンサＣＰ５の一端）に接続され、他端が第２の負電源配線ＨＥ２に接続されている。【００９７】
また、第２のポンプ用ツェナーダイオードＶＰ２は、アノードが第６のポンプ用抵抗ＲＰ６の他端（第２の負電源配線ＨＥ２）に接続され、カソードが接地端子ＴＧＮＤ（第２のソース端子ＳＯＵＲＳＥ２）に接続されている。【００９８】
また、第６のポンプ用コンデンサＣＰ６は、一端が第２の負電源配線ＨＥ２に接続され、他端が接地端子ＴＧＮＤ（第２のソース端子ＳＯＵＲＳＥ２）に接続されている。【００９９】
このような構成を有する第２のチャージポンプ回路Ｐ２は、第２のトランジスタＳＷ２を制御する第２の制御信号ＳＧ２に基づいて、接地端子ＴＧＮＤの電位（第２のソース端子ＳＯＵＲＳＥ２の電位）を基準として第２の正電源電圧ＶＣＣ２とは反対の極性の第２の負電源電圧ＶＥＥ２を生成して第２の負電源配線ＨＥ２に印加するようになっている。【０１００】
ここで、以上のような構成を有する駆動装置１００の制御方法の一例について、説明する。【０１０１】
既述のように、第１のゲートドライバ回路Ｇ１は、第１の正電源配線ＨＣ１の第１の正電源電圧ＶＣＣ１と第１の負電源配線ＨＥ１の第１の負電源電圧ＶＥＥ１とから生成した第１の制御信号ＳＧ１を、第１のトランジスタＳＷ１の制御端子（第１のゲート端子ＧＡＴＥ１）に出力して、第１のトランジスタＳＷ１の動作を制御する。【０１０２】
さらに、第２のゲートドライバ回路Ｇ２は、第２の正電源配線ＨＣ２の第２の正電源電圧ＶＣＣ２と第２の負電源配線ＨＥ２の第２の負電源電圧ＶＥＥ２とから生成した第２の制御信号ＳＧ２を、第２のトランジスタＳＷ２の制御端子（第２のゲート端子ＧＡＴＥ２）に出力して、第１のトランジスタＳＷ１と第２のトランジスタＳＷ２とが相補的にオン／オフするように、第２のトランジスタＳＷ２の動作を制御する。【０１０３】
これにより、第１のトランジスタＳＷ１と第２のトランジスタＳＷ２とが相補的にオン／オフするように制御され、出力端子ＴＯＵＴから所定の電圧が出力されることとなる。【０１０４】
一方、既述のように、第１のチャージポンプ回路Ｐ１は、第１のトランジスタＳＷ１を制御する第１の制御信号ＳＧ１に基づいて、出力端子ＴＯＵＴの電位（第１のソース端子ＳＯＵＲＳＥ１の電位）を基準として第１の正電源電圧ＶＣＣ１とは反対の極性の第１の負電源電圧ＶＥＥ１を生成して、第１の負電源配線ＨＥ１に印加する。【０１０５】
さらに、第２のチャージポンプ回路Ｐ２は、第２のトランジスタＳＷ２を制御する第２の制御信号ＳＧ２に基づいて、接地端子ＴＧＮＤの電位（第２のソース端子ＳＯＵＲＳＥ２の電位）を基準として第２の正電源電圧ＶＣＣ２とは反対の極性の第２の負電源電圧ＶＥＥ２を生成して第２の負電源配線ＨＥ２に印加する。【０１０６】
このように、本実施例１に係る駆動装置１００では、負電圧を生成するための電源回路を省略して回路規模を縮小しつつ、第１のドライバ回路が出力する第１のトランジスタの制御信号により第１のチャージポンプ回路を動作させて、正電源電圧から負電源電圧を生成するようにして、当該負電源電圧を用いて第１のトランジスタの閾値電圧Ｖｔｈとオフ時の制御信号（ゲート電圧）との間のマージンを確保して、デットタイムを短くする（図２）。【０１０７】
すなわち、本実施例１に係る駆動装置１００によれば、回路規模を縮小しつつ、短いデットタイムでトランジスタの誤動作を抑制することができる。【０１０８】
なお、本実施例１に係る駆動装置１００において、必要に応じて、第２の安定化用コンデンサＡＣ２、第２のブートストラップ回路ＢＳ２の第２のブートストラップ用ダイオードＢＤ２、及び第４の安定化用コンデンサＡＣ４の何れか、若しくは全てを省略してもよい。
【実施例２】
【０１０９】
既述のように、実施例１に係る駆動装置１００において、必要に応じて、第２の安定化用コンデンサＡＣ２、第２のブートストラップ回路ＢＳ２の第２のブートストラップ用ダイオードＢＤ２、及び第４の安定化用コンデンサＡＣ４の何れか、若しくは全てを省略してもよい。【０１１０】
そこで、本実施例２では、上記の構成を省略した駆動装置の他の構成例について説明する。【０１１１】
ここで、図３は、実施例２に係る駆動装置２００の構成の一例を示す図である。なお、図３において、図１の符号と同じ符号は、実施例１と同様の構成を示す。【０１１２】
この実施例２に係る駆動装置２００は、例えば、図３に示すように、実施例１の駆動装置１００と比較して、第２の安定化用コンデンサＡＣ２と、第４の安定化用コンデンサＡＣ４と、第２のブートストラップ回路ＢＳ２の第２のブートストラップ用ダイオードＢＤ２が省略された構成を有する。【０１１３】
なお、この実施例２に係る駆動装置のその他の構成は、図１に示す実施例１の構成と同様である。【０１１４】
すなわち、この本実施例２に係る駆動装置２００では、実施例１と同様に、負電圧を生成するための電源回路を省略して回路規模を縮小しつつ、第１のドライバ回路が出力する第１のトランジスタの制御信号により第１のチャージポンプ回路を動作させて、正電源電圧から負電源電圧を生成するようにして、当該負電源電圧を用いて第１のトランジスタの閾値電圧Ｖｔｈとオフ時の制御信号（ゲート電圧）との間のマージンを確保して、デットタイムを短くする（図２）。【０１１５】
すなわち、本実施例２に係る駆動装置２００によれば、回路規模を縮小しつつ、短いデットタイムでトランジスタの誤動作を抑制することができる。【０１１６】
以上のように、本発明の一態様に係る駆動装置は、直流電圧が印加される電源端子ＴＳ、及び、接地された接地端子ＴＧＮＤと、一端が電源端子ＴＳに接続され、他端が出力端子ＴＯＵＴに接続された第１のトランジスタＳＷ１と、一端が出力端子ＴＯＵＴに接続され、他端が接地端子ＴＧＮＤに接続された第２のトランジスタＳＷ２と、第１の電圧Ｖ１を出力する第１の直流電源Ｘ１と、アノードに第１の電圧Ｖ１が印加され且つカソードが第１の正電源配線ＨＣ１に接続された第１のブートストラップ用ダイオードＢＤ１、及び、一端が第１のブートストラップ用ダイオードＢＤ１のカソードに接続され且つ他端が出力端子ＴＯＵＴ（ＳＯＵＲＳＥ１）に接続された第１のブートストラップ用コンデンサＢＣ１を有する第１のブートストラップ回路ＢＳ１と、一端が出力端子ＴＯＵＴ（ＳＯＵＲＳＥ１）に接続され、他端が第１の負電源配線（ＶＥＥ１）に接続された第１の安定化用コンデンサＡＣ１と、第１の正電源配線の第１の正電源電圧ＶＣＣ１と第１の負電源配線の第１の負電源電圧ＶＥＥ１とから生成した第１の制御信号ＳＧ１を、第１のトランジスタＳＷ１の制御端子（ゲート）に出力して、第１のトランジスタの動作を制御する第１のゲートドライバ回路Ｇ１と、第２の正電源配線ＨＣ２の第２の正電源電圧ＶＣＣ２と第２の負電源配線の第２の負電源電圧ＶＥＥ２とから生成した第２の制御信号を、第２のトランジスタＳＷ２の制御端子（ゲート）に出力して、第１のトランジスタと第２のトランジスタとが相補的にオン／オフするように、第２のトランジスタの動作を制御する第２のゲートドライバ回路Ｇ２と、第１の制御信号ＳＧ１に基づいて、出力端子ＴＯＵＴの電位（第１のソース端子ＳＯＵＲＳＥ１の電位）を基準として第１の正電源電圧ＶＣＣ１とは反対の極性の第１の負電源電圧ＶＥＥ１を生成して第１の負電源配線に印加する第１のチャージポンプ回路Ｐ１と、を備える。【０１１７】
このように、本発明の駆動装置では、負電圧を生成するための電源回路を省略して回路規模を縮小しつつ、第１のドライバ回路が出力する第１のトランジスタの制御信号により第１のチャージポンプ回路を動作させて、正電源電圧から負電源電圧を生成するようにして、当該負電源電圧を用いて第１のトランジスタの閾値電圧Ｖｔｈとオフ時の制御信号（ゲート電圧）との間のマージンを確保して、デットタイムを短くする（図２）。【０１１８】
すなわち、本発明の駆動装置によれば、回路規模を縮小しつつ、短いデットタイムでトランジスタの誤動作を抑制することができる。【０１１９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２０】
１００  駆動装置
ＴＳ  電源端子
ＴＧＮＤ  接地端子
ＳＷ１  第１のトランジスタ
ＳＷ２  第２のトランジスタ
Ｄ１  第１のボディダイオード
Ｄ２  第２のボディダイオード
Ｘ１  第１の直流電源
Ｘ２  第２の直流電源
ＢＳ１  第１のブートストラップ回路
ＢＳ２  第２のブートストラップ回路
ＡＣ１  第１の安定化用コンデンサ
ＡＣ２  第２の安定化用コンデンサ
ＡＣ３  第３の安定化用コンデンサ
ＡＣ４  第４の安定化用コンデンサ
Ｇ１  第１のゲートドライバ回路
Ｇ２  第２のゲートドライバ回路
Ｐ１  第１のチャージポンプ回路
Ｐ２  第２のチャージポンプ回路
ＲＰ１  第１のポンプ用抵抗
ＲＰ２  第２のポンプ用抵抗
ＲＰ３  第３のポンプ用抵抗
ＲＰ４  第４のポンプ用抵抗
ＲＰ５  第５のポンプ用抵抗
ＲＰ６  第６のポンプ用抵抗
ＭＰ１  第１のポンプ用バイポーラトランジスタ
ＭＰ２  第２のポンプ用バイポーラトランジスタ
ＭＰ３  第３のポンプ用バイポーラトランジスタ
ＭＰ４  第４のポンプ用バイポーラトランジスタ
ＣＰ１  第１のポンプ用コンデンサ
ＣＰ２  第２のポンプ用コンデンサ
ＣＰ３  第３のポンプ用コンデンサ
ＣＰ４  第４のポンプ用コンデンサ
ＣＰ５  第５のポンプ用コンデンサ
ＣＰ６  第６のポンプ用コンデンサ
ＤＰ１  第１のポンプ用ダイオード
ＤＰ２  第２のポンプ用ダイオード
ＤＰ３  第３のポンプ用ダイオード
ＤＰ４  第４のポンプ用ダイオード
ＶＰ１  第１のポンプ用ツェナーダイオード
ＶＰ２  第２のポンプ用ツェナーダイオード
【図１】
2019146149.tif 000003
【図２】
2019146149.tif 000004
【図３】
2019146149.tif 000005
【図４】
2019146149.tif 000006
【図５】
2019146149.tif 000007
【国際調査報告】
2019146149.tif 000008
2019146149.tif 000009
2019146149.tif 000010
2019146149.tif 000011